(57)【要約】【課題】  車載情報提供装置において、車両の変化する走行環境に応じて情報をより適切に提供する。【解決手段】  車両の走行環境が平常状態にある場合は、パーキングブレーキが作動中であるか否かに関わらず、表示装置１０にナビゲーション情報が表示される（ａ）。車両の現在位置が細街路上にある場合に、路面凍結センサからの信号に基づいて路面の凍結が検出されるか、あるいは日時に基づいて薄暮時であると判断された場合は、車両の走行環境が非常状態にあるとして、パーキングブレーキの非作動中にはナビゲーション情報の提供が停止される（ｃ）。また、車速が３０ｋｍ／ｈを超えている状態において、前方監視カメラからの映像に基づいて車両の前方に障害物が検出された場合は、警告情報が表示される（ｂ）（ｄ）。ＴＶ映像やコンテンツなどの情報は、走行環境が平常状態にある場合でも、パーキングブレーキ作動中にのみ提供される。【選択図】        図３
2005024494.tif 000002
【特許請求の範囲】
【請求項１】
車両に搭載されて乗員に情報を提供する車載情報提供装置であって、
前記車両の走行環境における所定の非常状態を検出する非常状態検出手段と、
前記所定の非常状態が検出された場合には、所定の非緊急情報の提供を停止させる第１情報提供停止手段とを備えたことを特徴とする車載情報提供装置。
【請求項２】
情報を表示する表示装置を備え、
前記所定の非緊急情報は前記表示装置に表示される表示情報を含んでおり、
前記第１情報提供停止手段は、前記所定の非常状態が検出された場合には、前記表示装置における前記表示情報の表示を停止させることにより、前記所定の非緊急情報の提供を停止させることを特徴とする請求項１記載の車載情報提供装置。
【請求項３】
前記所定の非緊急情報は、前記表示情報として動画を含んでいることを特徴とする請求項２記載の車載情報提供装置。
【請求項４】
前記第１情報提供停止手段は、前記所定の非常状態が検出された場合には、その時点で前記表示装置において前記動画をフリーズさせることにより、前記所定の非緊急情報の提供を停止させることを特徴とする請求項３記載の車載情報提供装置。
【請求項５】
前記第１情報提供停止手段は、前記所定の非常状態が検出された場合には、前記表示装置における前記表示情報の表示を消去することにより、前記表示情報の表示を停止させることを特徴とする請求項２または３記載の車載情報提供装置。
【請求項６】
情報を音声出力する音声出力装置を備え、
前記所定の非緊急情報は前記音声出力装置によって出力される音声情報を含んでおり、
前記第１情報提供停止手段は、前記所定の非常状態が検出された場合に、前記音声情報の前記音声出力装置からの出力を停止させることにより、前記所定の非緊急情報の提供を停止させることを特徴とする請求項１ないし５のいずれか１項に記載の車載情報提供装置。
【請求項７】
前記所定の非緊急情報はナビゲーション情報であることを特徴とする請求項１ないし６のいずれか１項に記載の車載情報提供装置。
【請求項８】
前記車両の現在位置を検出する現在位置検出手段と、
前記現在位置周辺の地図データを取得する地図データ取得手段とを備え、
前記非常状態検出手段は、前記現在位置および前記地図データに基づいて、前記所定の非常状態を検出することを特徴とする請求項１ないし７のいずれか１項に記載の車載情報提供装置。
【請求項９】
前記非常状態検出手段は、前記現在位置および前記地図データに基づいて、道路種別が細街路である道路を前記車両が走行中である状態を前記所定の非常状態として検出することを特徴とする請求項８記載の車載情報提供装置。
【請求項１０】
前記非常状態検出手段は、前記現在位置および前記地図データに基づいて、幅員が所定値以下である道路を前記車両が走行中である状態を前記所定の非常状態として検出することを特徴とする請求項８または９記載の車載情報提供装置。
【請求項１１】
前記車両が走行中である道路の路面状態に関する路面情報を取得する路面情報取得手段を備え、
前記非常状態検出手段は、前記路面情報に基づいて、前記車両が走行中である前記道路が凍結状態にあることを前記所定の非常状態として検出することを特徴とする請求項１ないし１０のいずれか１項に記載の車載情報提供装置。
【請求項１２】
現在薄暮時であるか否かの判定に関連する薄暮時情報を取得する薄暮時情報取得手段を備え、
前記非常状態検出手段は、前記薄暮時情報に基づいて現在薄暮時であることが検出された状態を前記所定の非常状態として検出することを特徴とする請求項１ないし１１のいずれか１項に記載の車載情報提供装置。
【請求項１３】
前記車両が運転者による運転状態にあるか否かを判定する運転状態検出手段を備え、
前記第１情報提供停止手段は、前記所定の非常状態が検出された場合には、前記運転状態検出手段により前記運転状態にあると判定された場合にのみ、前記所定の非緊急情報の提供を停止させることを特徴とする請求項１ないし１２のいずれか１項に記載の車載情報提供装置。
【請求項１４】
前記車両の乗員からの手動操作による指示を示す操作信号を取得する手動操作信号入力手段と、
前記操作信号に基づいて情報提供に関連する設定を変更する第１設定変更手段と、
前記所定の非常状態が検出された場合には、前記設定の少なくとも一部に対する前記操作信号に基づく変更を停止させる手動操作停止手段とを備えたことを特徴とする請求項１ないし１２のいずれか１項に記載の車載情報提供装置。
【請求項１５】
前記車両が運転者による運転状態にあるか否かを判定する運転状態検出手段を備え、
前記手動操作停止手段は、前記運転状態検出手段により前記運転状態にあると判定された場合には、前記設定の少なくとも一部に対する前記操作信号に基づく変更を停止させることを特徴とする請求項１４記載の車載情報提供装置。
【請求項１６】
前記車両の乗員からの音声を取得する音声取得手段と、
前記音声取得手段により取得した前記音声に基づいて、前記設定を変更する第２設定変更手段と、
前記所定の非常状態が検出された場合には、前記設定の少なくとも一部に対する前記音声に基づく変更を停止させる音声操作停止手段とを備えたことを特徴とする請求項１４記載の車載情報提供装置。
【請求項１７】
前記車両が運転者による運転状態にあるか否かを判定する運転状態検出手段を備え、
前記音声操作停止手段は、前記所定の非常状態が検出された場合には、前記運転状態検出手段により前記運転状態にあると判定された場合にのみ、前記設定の少なくとも一部に対する前記音声に基づく変更を停止させることを特徴とする請求項１６記載の車載情報提供装置。
【請求項１８】
前記所定の非常状態が検出された場合に、前記所定の非常状態に関する警告情報を提供する非常状態警告手段を備えたことを特徴とする請求項１ないし１７のいずれか１項に記載の車載情報提供装置。
【請求項１９】
前記車両の運転あるいは走行に関連する所定の緊急状態を検出する緊急状態検出手段と、
前記所定の緊急状態が検出された場合には、前記所定の緊急状態に関する警告情報を提供する緊急状態警告手段とを備えたことを特徴とする請求項１ないし１８のいずれか１項に記載の車載情報提供装置。
【請求項２０】
前記車両の前方に関する前方情報を取得する前方監視手段を備え、
前記緊急状態検出手段は、前記前方情報に基づいて前記車両の前方に障害物が検出された状態を前記所定の緊急状態として検出することを特徴とする請求項１９記載の車載情報提供装置。
【請求項２１】
前記車両の運転者の状態に関する運転者情報を取得する運転者監視手段を備え、
前記緊急状態検出手段は、前記運転者情報に基づいて前記運転者が異常状態であることが検出された状態を前記所定の緊急状態として検出することを特徴とする請求項１９または２０記載の車載情報提供装置。
【請求項２２】
前記車両が運転者による運転状態にあるか否かを判定する運転状態検出手段と、
前記運転状態検出手段により前記運転状態にあると判定された場合には、所定の非運転支援情報の提供を停止させる第２情報提供停止手段とを備えたことを特徴とする請求項１ないし１２のいずれか１項に記載の車載情報提供装置。
【発明の詳細な説明】
【技術分野】
【０００１】
本発明は、車両に搭載されて乗員に情報を提供する車載情報提供装置に関するものである。
【背景技術】
【０００２】
従来より、ナビゲーション装置を搭載した車両においては、ナビゲーション情報の提供に用いられる表示装置が搭載されており、このような車載の表示装置は、ナビゲーション情報だけでなく、ＴＶ映像などを提供するためにも用いられている。この場合、走行安全の見地から、例えば車両の走行中にはＴＶ映像の提供は行わないなど、情報の提供に制限を設けている（例えば、特許文献１参照。）。
【０００３】
さらに、近年では、通信により車両外部から取得したタウン情報、ニュース、天気情報、交通情報、ゲームなどのコンテンツを、車載の表示装置やスピーカを用いて乗員に提供することが行われている。このような場合には、例えば、オーディオ機器からの音声出力などは、運転中でも提供および乗員による操作が可能であるレベル１に分類し、ナビゲーション情報のような運転支援情報は、運転中に提供は行うが、乗員による操作は音声のみに制限されるレベル２に分類し、ＴＶ映像やゲームなどの非運転支援情報は、パーキングブレーキを引いた状態でのみ提供を行うレベル３に分類して、このような分類に従って、車両が走行中であるか否かに基づいて情報の提供および操作を制限することが提案されている。
【特許文献１】特開２００３−１５５３５号公報
【発明の開示】
【発明が解決しようとする課題】
【０００４】
しかしながら、上記のように車両が走行中であるか否かのみに基づいて情報の提供を制限すると、車両の走行中に走行環境は常に変化しているため、例えば、子供や老人が飛び出すケースが比較的多い生活道路を走行している場合、薄暮れ時に走行している場合、路面凍結状態にある道路を走行している場合など、運転者が特に運転に集中しなければならいような走行環境にあるときには、ナビゲーション情報などが提供されることによって運転者が運転に集中できないということがあった。
【０００５】
本発明は、上記点に鑑みなされたものであり、車載情報提供装置において、車両の変化する走行環境に応じて情報をより適切に提供することを目的としている。
【課題を解決するための手段】
【０００６】
上記課題を解決するため、請求項１記載の車載情報提供装置は、車両に搭載されて乗員に情報を提供する車載情報提供装置であって、車両の走行環境における所定の非常状態を検出する非常状態検出手段と、所定の非常状態が検出された場合に所定の非緊急情報の提供を停止させる第１情報提供停止手段とを備えたことを特徴としている。
【０００７】
このように、車両の走行環境において、例えば運転者が運転に集中しなければならないような所定の非常状態が検出された場合には、そのような状態においては提供するのが適切でないような所定の非緊急情報の提供を停止させることにより、運転者の気が散る原因となるような情報の提供を回避することができ、これにより運転者は運転に集中することができる。このようにして、より適切に情報を提供することができる。
【０００８】
請求項２記載のように、走行環境における非常状態が検出された場合に提供を停止する所定の非緊急情報が、表示装置に表示される表示情報を含んでいる場合には、表示装置における表示情報の表示を停止させることにより、所定の非緊急情報の提供を停止させることができる。
【０００９】
この場合の所定の非緊急情報としては、請求項３記載のように、表示情報として動画を含むような情報を選択するとよい。表示装置に表示される動画は、静止画に比較して運転者の気が散る原因となりやすいため、このような動画の提供を停止すると、運転者は運転に集中することができる。
【００１０】
表示情報が動画である場合には、請求項４記載のように、動画をフリーズさせることにより、表示情報の提供を停止させることができる。また、請求項５記載のように、表示装置における表示情報の表示を消去することによっても、表示情報の提供を停止させることができ、このような表示情報の表示を消去することによる提供の停止は、表示情報が動画でない場合にも可能である。
【００１１】
請求項６記載のように、所定の非緊急情報が音声情報を含んでいる場合には、このような音声情報の音声出力装置からの出力を停止させることにより、情報の提供を停止することができる。
【００１２】
具体的には、走行環境における非常状態が検出された場合に提供を停止する所定の非緊急情報として、請求項７記載のように、ナビゲーション情報を選択するとよい。ナビゲーション情報は運転支援情報であるため、通常は車両の走行中にも提供されるが、特に運転者が運転に集中しなければならないような非常状態においては、提供を停止するようにすると、運転者は運転に集中することができる。
【００１３】
走行環境における所定の非常状態は、請求項８記載のように、現在位置検出手段により検出した車両の現在位置と地図データとに基づいて検出することができ、具体的には、請求項９記載のように、道路種別が細街路である道路を車両が走行中である状態を所定の非常状態として検出することができる。また、請求項１０記載のように、幅員が所定値以下である道路を車両が走行中である状態を所定の非常状態として検出することもできる。
【００１４】
さらに、請求項１１記載のように、路面情報取得手段によって取得した道路の路面状態に関する路面情報に基づいて、車両が走行中である道路が凍結状態にあることを所定の非常状態として検出することもでき、請求項１２記載のように、薄暮時情報取得手段により取得した現在薄暮時であるか否かの判定に関連する薄暮時情報に基づいて、現在薄暮時であることが検出された状態を所定の非常状態として検出することもできる。
【００１５】
所定の非常状態が検出された場合の所定の非緊急情報の提供は、請求項１３記載のように、車両が運転者による運転状態にある場合にのみ停止させるようにしてもよい。車両が運転状態にないときには、走行環境が非常状態にある場合でも、運転者は運転に集中する必要がないため、非緊急情報を提供しても問題はない。
【００１６】
また、所定の非常状態が検出された場合には、請求項１４記載のように、乗員からの手動操作による指示を示す操作信号に基づいて行う情報提供に関連する設定の変更のうち、少なくとも一部の設定に対する操作信号に基づく変更を停止させるようにするとよい。さらに、請求項１５記載のように、車両が運転状態にあると判定された場合にも、少なくとも一部の設定に対する操作信号に基づく設定の変更を停止させるようにしてもよい。このように、走行環境が所定の非常状態にある場合や車両が運転状態にある場合には、例えば乗員による比較的時間を要する操作に基づいて変更されるような設定については、操作信号に基づく設定の変更を停止させるようにすると、このような設定に対する乗員による手動操作が無効となるため、非常状態や運転状態における乗員によるこのような設定に対する手動操作を抑止させることができる。
【００１７】
所定の非常状態が検出された場合には、さらに、請求項１６記載のように、乗員からの音声に基づいて行う情報提供に関連する設定の変更のうち、少なくとも一部の設定に対する音声に基づく変更を停止させるようにするとよい。このように、走行環境が所定の非常状態にある場合には、少なくとも一部の設定に対する音声による操作も無効となるように構成すると、非常状態における乗員によるそのような設定に対する音声操作を抑止させることができる。また、請求項１７記載のように、所定の非常状態が検出された場合でも、車両が運転状態にあると判定された場合にのみ、少なくとも一部の設定に対する音声に基づく変更を停止させるようにしてもよい。
【００１８】
車両の走行環境において、運転者が運転に集中しなければならないような所定の非常状態が検出された場合には、請求項１８記載のように、所定の非緊急情報の提供を停止させるだけでなく、所定の非常状態に関する警告情報を提供するようにしてもよい。
【００１９】
さらに、請求項１９記載のように、車両の運転あるいは走行に関連する所定の緊急状態が検出された場合には、検出された緊急状態に関する警告情報を提供するようにするとよく、この場合、所定の緊急状態としては、請求項２０記載のように、車両の前方に障害物が検出された状態を検出することができる。また、請求項２１記載のように、運転者が異常状態にあることを所定の緊急状態として検出することもできる。このような緊急状態においては、走行環境が平常状態であるか非常状態であるかに関わりなく、警告情報を提供するようにするとよい。
【００２０】
車両の走行環境が非常状態にある場合に所定の非緊急情報の提供を停止させるだけでなく、請求項２２記載のように、車両が運転者による運転状態にあると判定された場合には、所定の非運転支援情報の提供を停止させるようにするとよい。非運転支援情報は、車両が運転状態にあるときに提供するのは適切でないため、車両が運転状態となった時点で提供を停止するようにするとよい。
【発明を実施するための最良の形態】
【００２１】
（第１実施形態）
以下、本発明の一実施形態に係る車載情報提供装置に関して、図面に基づいて説明する。
【００２２】
図１は車載情報提供装置１の全体構成を示している。車載情報提供装置１は、車両の乗員に対して地図や車両の現在位置などの情報を表示し、さらに乗員により目的地が設定された場合には、この目的地までの誘導経路を設定して、この誘導経路に従って案内情報を表示するナビゲーション機能を備えたもので、そのような地図情報や経路案内情報などの他に、ＴＶ映像や、通信により取得した様々なコンテンツなどを乗員に対して提供する。
【００２３】
車載情報提供装置１は、位置検出器２、地図データ入力器６、オーディオ機器１５、ＴＶ受信機１４、データ通信モジュール１６、表示装置１０、音声出力装置１１、操作スイッチ群７、リモコンセンサ１２、マイクロホン１９、外部メモリ９を備えており、これらは制御装置８に接続されている。制御装置８には、さらに車両に搭載されているパーキングブレーキセンサ３、車速センサ４、路面凍結センサ５、前方監視カメラ１７が接続されている。
【００２４】
位置検出器２は、車両の現在位置を検出するためのもので、いずれも周知の地磁気センサ２２、ジャイロスコープ２３、距離センサ２４、および人工衛星からの電波に基づいて車両の位置を検出するＧＰＳ（Ｇｌｏｂａｌ Ｐｏｓｉｔｉｏｎｉｎｇ Ｓｙｓｔｅｍ）のためのＧＰＳ受信機２５を備えている。これらは、各々が性質の異なる誤差を持っているため、複数のセンサにより各々補完しながら使用するように構成されている。なお、各センサの精度によっては位置検出器２を上述したうちの一部で構成してもよく、さらに、図示しないステアリングの回転センサ、各転動輪の車輪センサなどを用いてもよい。
【００２５】
地図データ入力器６は、現在位置検出の精度向上のためのいわゆるマップマッチング用データ、地図データおよび目印データを含む各種データを入力するための装置である。これらの各種データを記憶する記憶媒体としては、ＣＤ−ＲＯＭやＤＶＤ−ＲＯＭなどの再生専用の記憶媒体に加え、メモリカードやハードディスクなどの書き込み可能な記憶媒体が用いられる。
【００２６】
ＴＶ受信機１４はＴＶ信号を受信して、制御装置８に入力する。データ通信モジュール１６は例えば衛星を用いた通信により、ニュース、天気予報、交通情報、タウン情報、ゲームなど様々なコンテンツを外部から取得して、コンテンツ信号を制御装置８に入力する。オーディオ機器１５はＭＤプレーヤなどを備えたもので、音楽再生信号などのオーディオ信号を制御装置８に入力する。
【００２７】
表示装置１０は、例えば、インストルメントパネル部に配設されるカラー液晶ディスプレイによって構成されており、１１０×１７０ｍｍほどの画面を有している。この画面には、制御装置８によって、警告情報、地図情報、案内情報などの運転支援情報、ＴＶ映像やコンテンツなどの非運転支援情報が表示される。
【００２８】
音声出力装置１１は、スピーカなどによって構成され、誘導経路に従った案内情報や、オーディオ機器１５からの音声、ＴＶ音声などを提供するために用いられる。
【００２９】
操作スイッチ群７は、例えば、表示装置１０と一体になったタッチスイッチもしくはメカニカルなスイッチなどにより構成される。乗員は、この操作スイッチ群７、あるいはリモートコントロール端末（リモコン）１３を用いて、目的地を設定したり、表示装置１０に表示されている情報の切替えを指示したりするなど、各種操作を行うことができる。さらに、本実施形態においは、ナビゲーション関連の設定や操作については、音声による指示が可能であり、このような乗員からの音声はマイクロホン１９によって受け取られて、制御装置８に入力される。
【００３０】
さらに制御装置８は、パーキングブレーキセンサ３からパーキングブレーキが作動中か否かを示すパーキングブレーキ作動信号を取得し、車速センサ４から車速を示す車速信号を取得し、路面凍結センサ５から路面の凍結状態にあるか否か示す路面状態信号を取得し、前方監視カメラ１７から車両前方の映像を示す監視映像信号を取得する。
【００３１】
本実施形態においては、表示装置１０および音声出力装置１１を用いて提供される情報、操作スイッチ群７あるいはリモコン１３を用いて可能な操作、音声により可能な操作は、パーキングブレーキ作動中か否かと、さらに車両の変化する走行環境とに基づいて、制限される。
【００３２】
図２は、車両の走行環境が平常状態である場合と、非常状態である場合のそれぞれにおいて、表示装置１０および音声出力装置１１によって提供される情報、乗員により可能な操作を示している。本実施形態においては、車両が細街路を走行中であって、路面の凍結が検出されるか、あるいは薄暮時であると判断される場合に、走行環境が非常状態であると判定し、それ以外の場合は平常状態であると判定する。
【００３３】
図２に示すように、提供される情報および乗員による操作は、レベル０からレベル３に分類されており、車両が運転者による運転状態にあるとき（パーキングブレーキ非作動中）には、走行環境が平常状態にある場合にはレベル０〜２の情報および操作受付状態が提供されるが、非常状態にあるときにはレベル０および１の情報および操作受付状態のみが提供される。レベル３の情報および操作受付状態は、車両が運転状態にないときにのみ提供される。
【００３４】
具体的には、ＴＶ映像やコンテンツなどの非運転支援情報は、パーキングブレーキが作動しているときにのみ提供され、操作が可能である。従って、ＴＶ映像あるいはコンテンツの提供中に、パーキングブレーキが解除された場合は、その時点で情報の提供は停止されて、表示装置１０は無表示となり、ＴＶあるいはコンテンツの音声出力装置１１からの音声出力も停止する。再びパーキングブレーキ作動状態となると、ＴＶ映像あるいはコンテンツの提供が再開される。
【００３５】
地図情報や案内情報などのナビゲーション情報は、走行環境が平常状態であるときにはパーキングブレーキ非作動中でも提供されるが、非常状態にあるときにはパーキングブレーキが作動している場合にのみ提供される。但し、パーキングブレーキ非作動中には、ナビゲーション情報が提供されている場合でも、乗員による操作は音声でのみ可能であり、手動操作はパーキングブレーキが作動しているときにのみ可能である。ナビゲーション情報の提供中に、走行環境が平常状態から非常状態に変化した場合には、表示装置１０は無表示となり、音声出力装置１１からの案内情報の音声出力も停止する。走行環境が平常状態に戻ると、ナビゲーション情報の提供が再開される。
【００３６】
オーディオ機器１５からの音声出力は、パーキングブレーキ作動中であるか否か、走行環境が平常状態であるか非常状態であるかに関わらず、提供される。但し、オーディオ機器１５に対する手動操作は、走行環境が平常状態にある場合にのみ可能である。
【００３７】
さらに本実施形態では、車速が所定値（例えば３０ｋｍ／ｈ）を超えている状態において、前方監視カメラ１７からの監視映像信号に基づいて、車両の前方に障害物が検出された場合には、表示と音声の両方で警告情報を提供する。
【００３８】
図３（ａ）は表示装置１０におけるナビゲーション情報の表示例を示しており、（ｂ）はナビゲーション情報の表示中に、車両の前方に障害物が検出された場合の表示例を示している。ここに示すように、ナビゲーション情報の表示中に警告情報を表示する場合には、ナビゲーション情報の上にウィンドウを設けて、このウィンドウに警告情報が表示される。
【００３９】
図３（ｃ）は、図３（ａ）に示す表示状態において、車両の走行環境が平常状態から非常状態に変化した場合に、上記のように、ナビゲーション情報の表示が停止されて、無表示となる様子を示している。図３（ｄ）は、車両の走行環境が非常状態にあるときに、車両の前方に障害物が検出された場合の表示例を示している。ここに示すように、表示装置１０には、警告情報のみが表示される。
【００４０】
音声出力装置１１からは、警告情報がある場合には警告情報が優先して音声出力され、警告情報がない場合に、ナビゲーション機能によって提供される案内情報がある場合には案内情報が音声出力される。警告情報も案内情報もない場合には、表示装置１０においてＴＶ映像あるいは音声付コンテンツの表示中であれば、ＴＶあるいはコンテンツの音声が出力される。従って、ＴＶあるいはコンテンツの音声出力中に、警告情報あるいは案内情報を音声出力する必要が生じた場合は、ＴＶあるいはコンテンツの音声が中断されて、警告情報あるいは案内情報が出力される。
【００４１】
警告情報も案内情報もない場合に、表示装置１０において例えばナビゲーション情報など、ＴＶ映像あるいは音声付コンテンツ以外の情報が表示されている場合や、何も表示されていない場合には、オーディオ機器１５からの音声出力があれば、これが音声出力装置１１から出力される。
【００４２】
制御装置８は、ＣＰＵ、ＲＯＭ、ＲＡＭ、Ｉ／Ｏ、およびこれらを接続するバスラインを備えた周知のマイクロコンピュータにより構成されており、図１に示すように、機能ブロックとして、スイッチ信号入力部８０、ＴＶ映像入力部８９、音声信号入力部９０、前方障害物検出部９１、コンテンツ入力部９３、センサ信号入力部９２、地図データ取得部８１、現在位置算出部８２、経路探索・設定部８３、経路案内部８４、画像生成部８５、表示制御部８６、音声出力部８７、音声認識部８８を備えている。
【００４３】
これらの機能ブロック８０〜９３は、ＲＯＭに記憶しているプログラムをＣＰＵによって実行することにより、実現される。なお、プログラムは外部メモリ９を介して外部から取得することもできる。
【００４４】
スイッチ信号入力部８０は、操作スイッチ群７から操作信号を取得し、さらにリモコンセンサ１２を介してリモコン１３から操作信号を取得し、さらに音声認識部８８から音声認識結果を取得して、これらに基づいて、制御に用いるフラグなど、様々な設定を変更する。この処理の詳細については後述する。
【００４５】
ＴＶ映像入力部８９は、ＴＶ受信機１４からＴＶ映像信号を取得し、音声信号入力部９０は、オーディオ機器１５からのオーディオ信号およびＴＶ受信機１４からのＴＶ音声信号を取得する。コンテンツ入力部９３は、データ通信モジュール１６からコンテンツ信号を取得する。センサ信号入力部９２は、パーキングブレーキセンサ３、車速センサ４、路面凍結センサ５からセンサ信号を取得する。
【００４６】
前方障害物検出部９１は、前方監視カメラ１７から監視映像信号を取得して、これに基づいて車両前方の障害物を検出して、前方障害物検出信号を表示制御部８６および音声出力部８７に出力する。
【００４７】
地図データ取得部８１は、表示制御部８６などからの指示により、地図データ入力器６から車両の現在位置周辺などの地図データを取得して、地図データバッファ（図示せず）に記憶する。
【００４８】
現在位置算出部８２は、位置検出器２の各種センサ２２〜２５からセンサ信号を読み込んで、これらのセンサ信号に基づいて、マップマッチングにより車両の現在位置を算出する。
【００４９】
経路探索・設定部８３は、乗員によって目的地が設定された場合に、地図データ取得部８１により必要な地図データを取得して、その地図データに基づいて、現在位置算出部８２により算出された現在位置から設定された目的地までの最適な経路を、例えばダイクストラ法などを用いて設定する。
【００５０】
経路案内部８４は、経路探索・設定部８３により設定された経路と、地図データ内の道路の形状データや、交差点の位置情報などから、経路案内を提供するポイントを算出したり、どのような案内（例えば右折など）を行うのかを決定する。
【００５１】
画像生成部８５は、表示制御部８６の指示に従って、地図データバッファ内の地図データに基づいて、表示装置１０に表示する地図などの画像を生成して、ＶＲＡＭなどで構成された描画メモリに記憶する。
【００５２】
表示制御部８６は、操作スイッチ群７およびリモコン１３からのスイッチ信号や音声認識部８８による音声認識結果に基づいてスイッチ信号入力部８０により行われた設定や、センサ信号入力部９２からのセンサ信号、車両の現在位置および地図データ、経路案内部８４からの指示などに基づいて表示装置１０に表示させる情報を決定して、表示装置１０に表示させる。その場合、地図画像などを表示させるときには、画像を画像生成部８５に生成させる。この表示制御部８６による処理の詳細は後述する。
【００５３】
音声出力部８７は、操作スイッチ群７およびリモコン１３からのスイッチ信号や音声認識部８８による音声認識結果に基づいてスイッチ信号入力部８０により行われた設定や、センサ信号入力部９２からのセンサ信号、車両の現在位置および地図データ、経路案内部８４などからの指示に基づいて、音声出力装置１１から音声出力する情報を決定して、音声出力装置１１に出力させる。この処理の詳細については後述する。
【００５４】
音声認識部８８は、マイクロホン１９から音声信号を読み込んで、音声認識を行い、認識結果をスイッチ信号入力部８０に出力する。
【００５５】
制御装置８は、さらにカレンダ９４および時計９５を備えており、これらは薄暮時を検出する際に用いられる。
【００５６】
図４は、スイッチ信号入力部８０によるスイッチ信号入力処理の手順を示している。ステップ３００において、パーキングブレーキ作動信号に基づいて、パーキングブレーキが作動中であるか否か判定する。ＹＥＳと判定した場合は、ステップ３１０において、操作スイッチ群７あるいはリモコン１３からのスイッチ信号、あるいは音声認識部８８による音声認識結果に基づいて、制御に用いるフラグなど各種設定を変更する。
【００５７】
ステップ３００においてＮＯと判定した場合は、ステップ３２０において、走行環境が非常状態にあるか否か判定する。本実施形態では、車両が要注意道路を走行中であり、かつ要注意環境にあることが検出された場合に、走行環境が非常状態にあると判断する。本実施形態では細街路を要注意道路としており、また、路面の凍結が検出されるか、あるいは薄暮時であると判断された場合を要注意環境としている。
【００５８】
従って、ステップ３２０においては、具体的には、車両の現在位置および地図データに基づいて車両が走行中の道路が細街路であると判断され、かつ、路面凍結センサ５からのセンサ信号に基づいて路面凍結が検出されるか、あるいはカレンダ９４および時計９５の示す現在の日時に基づいて薄暮時であると判断されるか否かを判定する。
【００５９】
ステップ３２０においてＹＥＳと判定した場合は、ステップ３５０において設定を変更することなく、ステップ３００に戻って、以下のステップを所定の周期で繰り返す。このようにして、車両の走行環境が非常状態にある場合には、乗員によるすべての手動操作および音声操作を無効とする。
【００６０】
一方、ステップ３２０においてＮＯと判定した場合は、ステップ３３０において、操作スイッチ群７あるいはリモコン１３からのスイッチ信号に基づいて、オーディオ機器１５関連の設定のみを変更する。さらに、ステップ３４０において、音声認識部８８による音声認識結果に基づいて、ナビゲーション関連の設定を変更する。
【００６１】
このようにして、走行環境が非常状態にある場合には、乗員による手動操作はオーディオ機器１５に対する操作のみを有効として、その他の手動操作は無効とする。また、音声によるナビゲーション関連の操作は有効とする。ステップ３４０の実行後は、ステップ３００に戻って、以下のステップを所定の周期で繰り返す。
【００６２】
図５は表示制御部８６によって実行される表示制御処理の手順を示している。まず、ステップ１００において、スイッチ信号入力部８０により行われた設定に基づいて、表示装置１００に表示する情報として、ＴＶ映像あるいはコンテンツが選択されている状態であるか否か判定する。ＹＥＳと判定した場合は、ステップ１１０において、パーキングブレーキが作動中であるか否か判定する。ＹＥＳと判定した場合は、ステップ１２０において、ＴＶ映像あるいはコンテンツを表示装置１０に表示させる。その後、ステップ１７０に進む。
【００６３】
ステップ１００あるいはステップ１１０においてＮＯと判定した場合は、ステップ１３０において、車両の走行環境が非常状態にあるか否か判定する。具体的には、車両の現在位置および地図データに基づいて車両が走行中の道路が細街路であると判断され、かつ、路面凍結センサ５からのセンサ信号に基づいて路面凍結が検出されるか、あるいは現在の日時に基づいて薄暮時であると判断されるか否かを判定する。
【００６４】
ＹＥＳと判定した場合は、ステップ１４０においてパーキングブレーキが作動中であるか否か判定する。ステップ１４０においてＹＥＳと判定した場合は、あるいはステップ１３０においてＮＯと判定した場合は、ステップ１４５において、表示装置１００に表示する情報として、ナビゲーション情報が選択されている状態であるか否か判定する。ＹＥＳと判定した場合は、ステップ１５０において、画像生成部８５にナビゲーション情報の画像を生成させて、その画像を表示装置１０に表示させる。その後、ステップ１７０に進む。
【００６５】
ステップ１４０あるいはステップ１４５においてＮＯと判定した場合は、ステップ１６０において、表示装置１０の表示を消去して無表示状態とする。その後ステップ１７０に進む。
【００６６】
ステップ１７０においては、車速が３０ｋｍ／ｈを超えており、かつ車両の前方に障害物が検出されたか否か判定する。ＹＥＳと判定した場合は、ステップ１８０において、図３（ｂ）または（ｄ）に示すように、警告情報を表示する。その後、ステップ１００に戻って、以下のステップを所定の周期で繰り返す。
【００６７】
ステップ１７０においてＮＯと判定した場合は、そのままステップ１００に戻って、以下のステップを所定の周期で繰り返す。
【００６８】
図６は音声出力部８７によって実行される音声出力処理の手順を示している。まず、ステップ２０５において、車速が３０ｋｍ／ｈを超えており、かつ車両の前方に障害物が検出されたか否か判定する。ＹＥＳと判定した場合は、ステップ２１０において、「前方に障害物あり」という警告情報を音声出力装置１１に出力させる。その後、ステップ２０５に戻って、以下のステップを所定の周期で繰り返す。
【００６９】
ステップ２０５においてＮＯと判定した場合は、ステップ２３０において、走行環境が非常状態であるか否か判定する。具体的には、車両の現在位置および地図データに基づいて車両が走行中の道路が細街路であると判断され、かつ、路面凍結センサ５からのセンサ信号に基づいて路面凍結が検出されるか、あるいは現在の日時に基づいて薄暮時であると判断されるか否かを判定する。
【００７０】
ステップ２３０においてＮＯと判定した場合は、ステップ２５０において、ナビゲーション機能によって提供される音声案内情報があるか否か判定する。ＹＥＳと判定した場合は、ステップ２６０において音声案内情報を音声出力装置１１に出力させる。その後、ステップ２０５に戻って、以下のステップを所定の周期で繰り返す。
【００７１】
ステップ２３０においてＹＥＳと判定した場合は、ステップ２４０においてパーキングブレーキが作動中であるか否か判定する。ステップ２４０においてＹＥＳと判定した場合、あるいはステップ２５０においてＮＯと判定した場合は、ステップ２７０において、表示装置１００に表示する情報として、ＴＶ映像あるいは音声付コンテンツが選択されている状態であるか否か判定する。ＹＥＳと判定した場合は、ステップ２８０において、ＴＶあるいはコンテンツの音声を音声出力装置１１に出力させる。その後、ステップ２０５に戻って、以下のステップを所定の周期で繰り返す。
【００７２】
ステップ２７０あるいはステップ２４０においてＮＯと判定した場合は、ステップ２９０において、オーディオ機器１５からのオーディオ信号があるか否か判定する。ＹＥＳと判定した場合は、ステップ２９５において、オーディオ機器１５からの音声を音声出力装置１１に出力させる。その後、ステップ２０５に戻って、以下のステップを所定の周期で繰り返す。
【００７３】
ステップ２９０においてＮＯと判定した場合は、そのまま、音声出力装置１１から音声を出力させることなく、ステップ２０５に戻って、以下のステップを所定の周期で繰り返す。
【００７４】
本実施形態の構成によると、車両が走行中であるか否かのみに基づくのではなく、走行環境が非常状態にあるときにはナビゲーション情報の提供を停止するなど、変化する走行環境に応じて乗員に提供する情報および操作を制限するため、運転者は提供される情報によって気を散らされることなく運転に集中することができる。このようにして、本実施形態においては、車両が走行中であるか否かのみに基づいて情報の提供および操作を制限していた従来に比較して、変化する走行環境に応じてより適切に情報が提供される。
【００７５】
本実施形態における位置検出器２および現在位置算出部８２は本発明の現在位置検出手段に対応しており、地図データ入力器６および地図データ取得部８１は本発明の地図データ取得手段に対応している。前方監視カメラ１７および前方障害物検出部９１は本発明の前方監視手段に対応している。本実施形態における路面凍結センサ５は本発明の路面情報取得手段に対応しており、カレンダ９４および時計９５は本発明の薄暮時情報取得手段に対応しており、パーキングブレーキセンサ３は本発明の運転状態検出手段に対応している。
【００７６】
また、本実施形態における操作スイッチ群７、リモコンセンサ１２、リモコン１３およびスイッチ信号入力部８０は、本発明の手動操作信号入力手段に対応しており、マイクロホン１９および音声認識部８８は、本発明の音声取得手段に対応している。
【００７７】
本実施形態におけるステップ１３０、２３０、３２０は本発明の非常状態検出手段に対応しており、ステップ１６０は本発明の第１情報提供停止手段および第２情報提供停止手段に対応している。ステップ１１０、１４０、２４０および３００は本発明の運転状態検出手段に対応している。ステップ３１０は本発明の第１設定変更手段および第２設定変更手段に対応しており、ステップ３５０は本発明の手動操作停止手段および音声操作停止手段に対応している。
【００７８】
本実施形態におけるステップ１７０および２０５は本発明の緊急状態検出手段に対応しており、ステップ１８０および２１０は本発明の緊急状態警告手段に対応している。
【００７９】
（他の実施形態）
本発明は上記実施形態に限定されることなく、つぎのように種々の変形が可能である。
【００８０】
上記実施形態においては、ＴＶ映像あるいはコンテンツの提供中にパーキングブレーキが解除された場合には情報の提供を停止して、表示装置１０を無表示とし、音声出力装置１１からの音声出力を停止したが、パーキングブレーキが解除された時点での走行環境が平常状態である場合には、ナビゲーション情報の提供に切り替えるようにしてもよい。
【００８１】
また、上記実施形態においては、ナビゲーション情報の提供中に車両の走行環境が平常状態から非常状態に変化した場合には、表示装置１０におけるナビゲーション情報の表示を停止して無表示としたが、走行環境が非常状態に変わった時点でのナビゲーション情報の表示をフリーズして、そのまま静止画でのナビゲーション情報の表示を継続し、走行環境が平常状態に戻った時点でナビゲーション情報の表示を更新するようにしてもよい。
【００８２】
上記実施形態においては、走行環境が非常状態にあることが検出された場合でも、そのような非常状態にあることに関する警告を行わなかったが、例えば、「細街路注意」、「路面凍結注意」などの警告情報を表示するようにしてもよい。図７は、この場合の表示制御処理の手順を示している。ここに示すように、走行環境が非常状態にあり、パーキングブレーキが非作動中であるときには、ステップ１６５において、「細街路注意」、「路面凍結注意」など、検出された非常状態に応じた警告情報を表示して、ステップ１７０に進む。その他のステップは上記実施形態と同様に実行される。ステップ１６５は本発明の非常状態警告手段に対応している。
【００８３】
あるいは、図８（ａ）に示すように表示装置１０にナビゲーション情報を表示している状態において、走行環境が平常状態から非常状態に変化した場合は、その時点で図８（ｂ）に示すように非常状態に関する警告情報を一時的に表示し、さらにナビゲーション情報の提供を一時停止することを表示してから、図８（ｃ）に示すように無表示に切り替えてもよい。
【００８４】
上記実施形態においては、走行環境が平常状態から非常状態に変化したときには、ナビゲーション情報の表示装置１０による提供と音声出力装置１１による提供の両方を停止したが、表示装置１０による提供のみを停止して、案内ポイントなどにおける音声出力装置１１による案内情報の提供は継続して行うようにしてもよい。
【００８５】
上記実施形態においては、車両の走行環境が非常状態である場合には、レベル０および１の情報を提供したが、走行環境が非常状態である場合には、ナビゲーション情報の提供だけでなくオーディオ音声の提供も停止して、レベル０の警告情報の提供のみを行うようにしてもよい。この場合、走行環境が非常状態にあるときは、オーディオ音声出力を停止する代わりに、例えば「細街路注意」、「路面凍結注意」など、走行環境が非常状態にあることに関する警告を音声で出力するようにしてもよい。
【００８６】
図９は、この場合の音声出力処理の手順を示している。ここに示すように、走行環境が非常状態にありパーキングブレーキが非作動中であるときには、ステップ２４５において警告情報を音声出力する。オーディオ音声は、走行環境が平常状態にあるか、あるいはパーキングブレーキが作動中であり、ナビゲーション案内情報、ＴＶ、コンテンツのいずれの音声出力もない場合にのみ、提供される。ステップ２４５は本発明の非常状態警告手段に対応している。
【００８７】
上記実施形態においては、ＴＶ映像やコンテンツは、すべてパーキングブレーキが作動している状態においてのみ提供される構成であったが、例えば店舗・施設情報など静止画で提供されるような情報に関しては、パーキングブレーキが作動していない場合でも、車速が０で走行環境が平常状態であるときには、乗員が操作して表示させることが可能な構成としてもよい。
【００８８】
上記実施形態においては、ステップ１３０、２３０、および３２０において、道路種別が細街路である道路を要注意道路と判断したが、道路の幅員情報も用いて、細街路かつ幅員が３．５ｍ以下の道路を要注意道路としてもよく、あるいは道路種別によらず幅員が３．５ｍ以下の道路をすべて要注意道路としてもよい。また、細街路以外にも、勾配が急である道路、勾配の変化が急である道路、曲率（カーブ）が急である道路も、要注意道路と判断してもよい。
【００８９】
あるいは、例えば交通事故の多い道路などについては「要注意道路である」という情報を地図データの中に道路データの一部として記憶しておき、このような情報に基づいて、車両が走行中の道路が要注意道路であるか否かを判定してもよい。
【００９０】
上記実施形態においては、車両が要注意道路を走行中であり、かつ要注意環境が検出された場合（条件「要注意道路 ＆ 要注意環境」が満足されている場合）に、走行環境が非常状態であると判断したが、車両が要注意道路を走行中であるか、あるいは要注意環境が検出された場合（条件「要注意道路 or 要注意環境」が満足されている場合）に、走行環境が非常状態であると判断してもよい。
【００９１】
また、表示制御処理におけるステップ１３０では、条件「要注意道路 or 要注意環境」が満足されているか否かに基づいて走行環境が非常状態にあるか否かを判定し、音声出力処理におけるステップ２３０では、条件「要注意道路 ＆ 要注意環境」が満足されているか否かに基づいて走行環境が非常状態にあるか否かを判定するなど、情報の表示、情報の音声出力、操作受付状態のいずれの制御かに応じて、非常走行環境を検出する基準を変えてもよい。この場合、例えば車両が細街路を走行中で、要注意環境が検出されていない場合には、ナビゲーション情報の表示は停止されるが、音声案内情報は提供される。
【００９２】
上記実施形態においては、提供される情報および可能な操作を図２に示すようにレベル分けしたが、これに限らず、例えばオーディオ機器１５に対する手動操作をレベル３として、パーキングブレーキ作動中にのみオーディオ機器１５に対する手動操作が可能であるように構成してもよい。
【００９３】
上記実施形態においては、車速が３０ｋｍ／ｈを超えた状態において、車両の前方に障害物が検出された場合にのみ警告情報を提供したが、車室内に運転者の居眠り状態を検出する居眠りセンサを設けて、パーキングブレーキが非作動状態にあるときに居眠りセンサからの信号に基づいて運転者の居眠り状態が検出された場合は、音声で警告を発するようにしてもよい。
【００９４】
図１０は、この場合の車載情報提供装置の構成のうち、図１に示す上記実施形態における構成に追加される部分を示している。居眠りセンサ１８は、例えばステアリングホイールなどに組み込まれて、運転者からの生体信号を取得する。制御装置８は、居眠り検出部９６により、居眠りセンサ１８からの生体信号を取得して、これに基づいて運転者が居眠り状態にあるか否か判定し、運転者異常状態信号を音声出力部８７に出力する。
【００９５】
図１１は、この場合の音声出力部８７による音声出力処理の手順を示している。ステップ２００において、パーキングブレーキが非作動中であり、かつ運転者が居眠り状態にあるか否か、運転者異常状態信号に基づいて判定する。ＹＥＳと判定した場合は、ステップ２０３において、警告音声を出力して、ステップ２００に戻る。ステップ２００においてＮＯと判定した場合は、ステップ２０５に進んで、以下のステップを上記実施形態と同様にして実行する。但し、ステップ２１０、２６０、２８０、２９５の実行後、およびステップ２９０においてＮＯと判定した場合は、ステップ２００に戻って、以下のステップを所定の周期で繰り返す。
【００９６】
居眠りセンサ１８および居眠り検出部９６は本発明の運転者監視手段に対応しており、ステップ２００は本発明の緊急状態検出手段に対応しており、ステップ２０３は本発明の緊急状態警告手段に対応している。
【図面の簡単な説明】
【００９７】
【図１】本発明の一実施形態に係る車載情報提供装置の全体構成を示すブロック図である。
【図２】車両の走行環境が平常状態にある場合と非常状態にある場合のそれぞれにおいて提供される情報の種類および可能な操作を示す図である。
【図３】車両の走行環境が平常状態から非常状態に変化した場合、および車両の前方に障害物が検出された場合に、表示装置において表示が変化する様子を示す図である。
【図４】制御装置により実行されるスイッチ信号入力処理のフローチャートである。
【図５】制御装置により実行される表示制御処理のフローチャートである。
【図６】制御装置により実行される音声出力処理のフローチャートである。
【図７】図５に示す表示制御処理の変形例のフローチャートである。
【図８】車両の走行環境が平常状態から非常状態に変化した場合の表示装置における表示の切り替わりの変形例を示す図である。
【図９】図６に示す音声出力処理の変形例のフローチャートである。
【図１０】図１に示す車載情報提供装置の構成の変形例を示すブロック図である。
【図１１】図６に示す音声出力処理の変形例のフローチャートである。
【符号の説明】
【００９８】
１  車載情報提供装置
２  位置検出器  （現在位置検出手段）
３  パーキングブレーキセンサ  （運転状態検出手段）
５  路面凍結センサ  （路面情報取得手段）
６  地図データ入力器  （地図データ取得手段）
７  操作スイッチ群  （手動操作信号入力手段）
１０  表示装置
１１  音声出力装置
１２  リモコンセンサ  （手動操作信号入力手段）
１３  リモコン  （手動操作信号入力手段）
１７  前方監視カメラ  （前方監視手段）
１８  居眠りセンサ  （運転者監視手段）
１９  マイクロホン  （音声取得手段）
８０  スイッチ信号入力部  （手動操作信号入力手段）
８１  地図データ取得部  （地図データ取得手段）
８２  現在位置算出部  （現在位置検出手段）
８６  表示制御部
８７  音声出力部
８８  音声認識部  （音声取得手段）
９１  前方障害物検出部  （前方監視手段）
９４  カレンダ  （薄暮時情報取得手段）
９５  時計  （薄暮時情報取得手段）
９６  居眠り検出部  （運転者監視手段）
【図１】
2005024494.tif 000003
【図２】
2005024494.tif 000004
【図３】
2005024494.tif 000005
【図４】
2005024494.tif 000006
【図５】
2005024494.tif 000007
【図６】
2005024494.tif 000008
【図７】
2005024494.tif 000009
【図８】
2005024494.tif 000010
【図９】
2005024494.tif 000011
【図１０】
2005024494.tif 000012
【図１１】
2005024494.tif 000013